(57)【要約】【課題】  異なる画像表示装置のそれぞれに同一の画像を表示させた場合であっても、画像の印象を変えることなく、適切に表示させることを目的とする。【解決手段】  画像を表示する表示部と、前記表示部に表示された画像の元になる画像データに、該表示部の表示特性を示す表示特性データを付帯する記録部と、前記表示部に画像を表示する際に、該画像の元になる画像データに付帯された前記表示特性データに基づいて前記画像の画質を調整する画像処理部と、前記画像処理部により画質調整された前記画像を前記表示部に表示させる表示制御部とを備える画像表示装置。【選択図】      図１
2012133164.tif 000002
【特許請求の範囲】
【請求項１】
画像を表示する表示部と、
前記表示部に表示された画像の元になる画像データに、該表示部の表示特性を示す表示特性データを付帯する記録部と、
前記表示部に画像を表示する際に、該画像の元になる画像データに付帯された前記表示特性データに基づいて前記画像の画質を調整する画像処理部と、
前記画像処理部により画質調整された前記画像を前記表示部に表示させる表示制御部と
を備えることを特徴とする画像表示装置。
【請求項２】
請求項１に記載の画像表示装置において、
前記表示特性データが付帯された画像データを取り込む入力部をさらに備え、
前記画像処理部は、前記入力部により取り込まれた画像データの表示特性データと、前記表示部の表示特性データとを比較した結果に基づいて、前記取り込まれた画像データに基づく画像の画質を調整する
ことを特徴とする画像表示装置。
【請求項３】
請求項１又は請求項２に記載の画像表示装置において、
前記表示特性データは、色域、階調特性、ダイナミックレンジ或いはコントラスト比の少なくともいずれか１つのデータからなる
ことを特徴とする画像表示装置。
【請求項４】
請求項３に記載の画像表示装置において、
前記画像処理部は、前記画像データの表示特性データから特定される色域と前記表示部の表示特性データに基づく色域とを比較するとともに、前記画像データの表示特性データから特定される色域が前記表示部の表示特性データに基づく色域よりも広くなる場合に、前記画像データに基づく画像の彩度を上げ、前記画像データの表示特性データから特定される色域が前記表示部の表示特性データに基づく色域よりも狭くなる場合に、前記画像データに基づく画像の彩度を下げる
ことを特徴とする画像表示装置。
【請求項５】
請求項１から請求項４のいずれか１項に記載の画像表示装置において、
前記画像処理部は、前記表示部に表示する画像の元になる画像データに複数の表示特性データが付帯されている場合に、複数の前記表示特性データを平均化し、平均化された表示特性データを用いて、前記表示部に表示する画像の画質を調整する
ことを特徴とする画像表示装置。
【請求項６】
画像を表示する表示部と、
前記表示部に表示された画像の元になる画像データに、該表示部の表示特性を示す表示特性データを付帯する記録部と
を備えることを特徴とする画像表示装置。
【請求項７】
画像を表示した表示部における表示特性を示す表示特性データが付帯された画像データを取り込む入力部と、
前記入力部により取り込まれた画像データに基づく画像を表示する際に、該画像データに付帯された前記表示特性データに基づいて、該画像の画質を調整する画像処理部と、
前記画像処理部により画質調整された前記画像を前記表示部に表示させる表示制御部と
を備えることを特徴とする画像表示装置。
【発明の詳細な説明】
【技術分野】
【０００１】
本発明は、画像を表示する画像表示装置に関する。
【背景技術】
【０００２】
従来から、入力画像データの色特性である入力色特性が不明である場合に、ｓＲＧＢやＡｄｏｂｅＲＧＢ（商標登録）などの基準色特性と、過去に表示された画像表示装置の色特性とを比較し、その結果に基づいて、入力色特性を推定する画像処理装置が知られている（例えば、特許文献１など）。この特許文献１において、入力色特性は、画像データを生成する際に指定する色空間の特性値と定義され、画像データの生成時に一意に決定されるものである。
【先行技術文献】
【特許文献】
【０００３】
【特許文献１】特開２００８−１４１７２４号公報
【発明の概要】
【発明が解決しようとする課題】
【０００４】
しかしながら、上述した特許文献１に開示された画像処理装置は、画像を表示する画像表示装置の色度点がそれぞれ一致すること、つまり、画像を表示する画像表示装置における色空間の色度点が、画像データの生成時に用いた色空間の色度点と一致することを前提条件としている。例えば、画像データにおける色空間の色度点の少なくとも一部が画像データに基づく画像を表示する画像表示装置における色空間の色度点と異なる場合には、上述した前提条件を満足していないことになり、画像データから得られる入力色特性の判定や、表示する画像に対する色設定が適切に実行できなくなる原因となる。これにより、異なる画像表示装置に同一の画像を表示したときには、それぞれの画像表示装置に表示される画像の印象が著しく異なったものとなりやすい。
【０００５】
そこで、本発明の画像表示装置は、異なる画像表示装置のそれぞれに同一の画像を表示させた場合であっても、画像の印象を変えることなく、適切に表示させることを目的とする。
【課題を解決するための手段】
【０００６】
第１の発明の画像表示装置は、画像を表示する表示部と、前記表示部に表示された画像の元になる画像データに、該表示部の表示特性を示す表示特性データを付帯する記録部と、前記表示部に画像を表示する際に、該画像の元になる画像データに付帯された前記表示特性データに基づいて前記画像の画質を調整する画像処理部と、前記画像処理部により画質調整された前記画像を前記表示部に表示させる表示制御部とを備える。
【０００７】
なお、前記表示特性データが付帯された画像データを取り込む入力部をさらに備え、前記画像処理部は、前記入力部により取り込まれた画像データの表示特性データと、前記表示部の表示特性データとを比較した結果に基づいて、前記取り込まれた画像データに基づく画像の画質を調整しても良い。
【０００８】
また、前記表示特性データは、色域、階調特性、ダイナミックレンジ或いはコントラスト比の少なくともいずれか１つのデータからなっても良い。
【０００９】
また、前記画像処理部は、前記画像データの表示特性データから特定される色域と前記表示部の表示特性データに基づく色域とを比較するとともに、前記画像データの表示特性データから特定される色域が前記表示部の表示特性データに基づく色域よりも広くなる場合に、前記画像データに基づく画像の彩度を上げ、前記画像データの表示特性データから特定される色域が前記表示部の表示特性データに基づく色域よりも狭くなる場合に、前記画像データに基づく画像の彩度を下げても良い。
【００１０】
また、前記画像処理部は、前記表示部に表示する画像の元になる画像データに複数の表示特性データが付帯されている場合に、複数の前記表示特性データを平均化し、平均化された表示特性データを用いて、前記表示部に表示する画像の画質を調整しても良い。
【００１１】
第２の発明の画像表示装置は、画像を表示する表示部と、前記表示部に表示された画像の元になる画像データに、該表示部の表示特性を示す表示特性データを付帯する記録部とを備える。
【００１２】
第３の発明の画像表示装置は、画像を表示した表示部における表示特性を示す表示特性データが付帯された画像データを取り込む入力部と、前記入力部により取り込まれた画像データに基づく画像を表示する際に、該画像データに付帯された前記表示特性データに基づいて、該画像の画質を調整する画像処理部と、前記画像処理部により画質調整された前記画像を前記表示部に表示させる表示制御部とを備える。
【発明の効果】
【００１３】
本発明の画像表示装置によれば、異なる画像表示装置のそれぞれに同一の画像を表示させた場合であっても、画像の印象を変えることなく、適切に表示させることが可能となる。
【図面の簡単な説明】
【００１４】
【図１】画像表示装置１０の構成を示すブロック図である。
【図２】メモリカード２０に記憶される画像ファイル２１の構成を示す図である。
【図３】画像表示装置１０における画像表示時の流れを示すフローチャートである。
【図４】画像ファイル２１に付帯される表示特性データ２５から得られる色域と、画像表示装置１０が保持する表示特性データ１９から得られる色域とを示す色度座標の図である。
【図５】８ビットの画像データ２６に基づく画像を表示した場合における、輝度信号値と彩度との関係を示す図である。
【図６】（ａ）は、画像表示装置１０Ａ、画像表示装置１０Ｂにおいて、同一の画像を表示する例を示す図であり、（ｂ）は、画像表示装置１０Ａにおいて表示した画像を、画像表示装置１０Ｂにおいて表示する例を示す図である。
【発明を実施するための形態】
【００１５】
以下、本発明の実施形態について説明する。図１は、本発明の実施形態における画像表示装置１０の構成を示すブロック図である。画像表示装置１０としては、例えば、デジタルフォトフレーム、テレビ、パソコンなどが挙げられる。画像表示装置１０は、単数又は複数の画像ファイルが記憶された記憶媒体を接続することができる。また、記憶媒体としてメモリカード２０を挙げて説明するが、光ディスク、磁気ディスクなどを用いても良い。画像表示装置１０は、メモリカード２０が装着されると、メモリカード２０に記憶された画像ファイルに基づく画像を表示する。以下、メモリカード２０に記憶された画像ファイルについては、符号２１を付して説明する。メモリカード２０は、画像表示装置１０とは異なる、他の画像表示装置にも着脱可能である。なお、他の画像表示装置も画像表示装置１０と同様に、画像ファイル２１に基づく画像を表示することができる。
【００１６】
上述したように、メモリカード２０は、単数又は複数の画像ファイル２１を記憶することができる。図２に示すように、画像ファイル２１は、メタデータ領域２２と画像データ領域２３とを有している。メタデータ領域２２は、画像ファイル２１が生成された年月日や時間、画像ファイル２１を生成したデジタルカメラ（カメラ機能を備える携帯電話機などを含む）の機種情報や、撮像時の露出条件などのデータの他、画像表示を実行した履歴を示す表示履歴データ２４を格納する領域である。以下、メタデータ領域２２に、表示履歴データ２４が格納された画像ファイル２１を、表示履歴データ２４が付帯された画像ファイル２１と称する。表示履歴データ２４としては、表示特性データ２５、画像表示装置１０の機種情報（ＩＤ情報などを含む）、画像表示の年月日などが挙げられる。画像データ領域２３は、画像データ２６を格納する領域である。
【００１７】
図１に戻って、画像表示装置１０は、カードインターフェース部１１、第１メモリ１２、表示制御部１３、表示部１４、ユーザインターフェース１５、第２メモリ１６、ＣＰＵ１７、画像処理部１８を備える。
【００１８】
カードインターフェース部１１は、メモリカード２０が画像表示装置１０に装着されたときに、メモリカード２０に電気的に接続する。これにより、カードインターフェース部１１は、メモリカード２０へのデータや画像ファイル２１の書き込み、及びメモリカード２０に記憶されたデータや画像ファイル２１の読み出しを実行することができる。
【００１９】
第１メモリ１２は、カードインターフェース部１１により読み出された画像データ２６を一時的に記憶する。第２メモリ１６は、制御プログラムや、画像表示装置１０における表示特性を示す表示特性データ１９を記憶する。画像表示装置１０における表示特性は、画像表示装置の種類（仕様）により異なる。すなわち、表示特性データ１９は、画像表示装置１０における固有の情報である。例えば、表示特性データ１９としては、表示部１４において再現できる色の範囲（色域）の情報が挙げられる。なお、色域の情報としては、色度座標上における赤（Ｒ）色、緑（Ｇ）色、青（Ｂ）色の三原色の色度値が挙げられる。
【００２０】
ＣＰＵ１７は、制御プログラムに基づいて、画像表示装置１０の統括的な制御を実行する。ＣＰＵ１７には、ユーザインターフェース１５が接続されており、ユーザインターフェース１５から出力される要求信号に基づいて、画像表示装置１０の各部を駆動制御する。例えば、ユーザインターフェース１５は、十字キーなどの操作釦やキーボードから構成される。
【００２１】
また、ＣＰＵ１７は、画像ファイル２１に格納された画像データ２６に基づく画像を表示する際に、画像ファイル２１に付帯された表示特性データ２５と、画像表示装置１０が保持する、すなわち第２メモリ１６に記憶された表示特性データ１９とを比較する。そして、ＣＰＵ１７は、表示特性データ２５と表示特性データ１９とを比較した結果、及び画像表示を実行する信号（以下、表示開始信号と称する）を画像処理部１８に出力する。
【００２２】
画像処理部１８は、ＣＰＵ１７から出力された表示開始信号を受けて、第１メモリ１２に記憶された画像データ２６を読み出す。そして、画像処理部１８は、読み出した画像データ２６に対して、復号化処理を行う。この復号化処理の後、画像処理部１８は、画像データ２６が取得されたときに用いた色空間（例えば、ＲＧＢ色空間、ｓＲＧＢ色空間、ａｄｏｂｅＲＧＢ色空間など）の情報を読み出し、画像表示装置１０に設定されている色空間と比較する。この比較の後、画像処理部１８は、必要に応じて、色空間変換処理や各画素の色成分値の調整処理などを実行する。なお、画像データ２６が取得されたときに用いられる色空間の情報は、画像データ２６とともに、第１メモリ１２に予め記憶しておき、復号化処理を行った後に第１メモリ１２から読み出されるようにしても良いし、復号化処理を行った後に画像ファイル２１のメタデータ領域２２から読み出しても良い。
【００２３】
また、画像ファイル２１に付帯された表示特性データ２５と、第２メモリ１６に記憶された表示特性データ１９とが異なる場合には、画像処理部１８は、復号化処理を施した画像データ２６に対して、彩度補正、輝度補正、階調補正、輪郭強調などの画像処理を実行することにより、画像の画質を調整する。一方、画像ファイル２１に付帯された表示特性データ２５と、第２メモリ１６に記憶された表示特性データ１９とが同一である場合には、画像処理部１８は、復号化処理を施した画像データ２６に対して、彩度補正、輝度補正、階調補正、輪郭強調などの画像処理を実行しない。その後、画像処理部１８は、復号化処理、又は上記の画像処理を施した画像データ２６を表示制御部１３に出力する。表示制御部１３は、該画像データ２６に基づく画像を表示部１４に表示させる。
【００２４】
次に、画像表示装置１０における画像表示時の処理内容について、図３のフローチャートに基づいて説明する。なお、このフローチャートは、カードインターフェース部１１へのメモリカード２０の接続を検知したときを契機にして実行される。
【００２５】
ステップＳ１０１は、画像データ２６を読み出す処理である。まず、ＣＰＵ１７は、カードインターフェース部１１を介して、メモリカード２０に記憶された画像ファイル２１の有無を参照する。そして、ＣＰＵ１７は、画像ファイル２１がある場合は、画像データ領域２３に格納された画像データ２６を読み出し、読み出した画像データ２６を第１メモリ１２に記憶する。
【００２６】
ステップＳ１０２は、画像表示の要求信号があるか否かを判定する処理である。例えば、ユーザインターフェース１５は、画像表示の実行の指定、及び表示する画像ファイル２１の指定が行われたときに、ＣＰＵ１７に画像表示の要求信号を出力する。ＣＰＵ１７は、画像表示の要求信号があると判定した場合（ステップＳ１０２の判定がＹＥＳとなる場合）には、ステップＳ１０３に進む。一方、ＣＰＵ１７は、画像表示の要求信号がないと判定した場合（ステップＳ１０２の判定がＮＯとなる場合）には、図３の処理を終了する。
【００２７】
ステップＳ１０３は、画像ファイル２１に表示履歴データ２４が付帯されていないか否かを判定する処理である。ＣＰＵ１７は、カードインターフェース部１１を介して、表示する画像の元になる画像ファイル２１を参照し、メタデータ領域２２に表示履歴データ２４が記憶されているか否かを判定する。ＣＰＵ１７は、表示履歴データ２４が記憶されていないと判定した場合（ステップＳ１０３の判定がＹＥＳとなる場合）には、ステップＳ１０４に進む。一方、ＣＰＵ１７は、表示履歴データ２４が記憶されていると判定した場合（ステップＳ１０３の判定がＮＯとなる場合）には、後述するステップＳ１０７に進む。
【００２８】
例えば、ステップＳ１０３の判定がＹＥＳとなる場合としては、過去に画像表示装置において表示されたことがない画像を表示する場合が挙げられる。このような場合には、以下のステップＳ１０４からステップＳ１０６の処理が実行される。
【００２９】
ステップＳ１０４は、画像を表示する処理である。画像処理部１８は、第１メモリ１２に記憶された画像データ２６に復号化処理、色空間変換処理や色成分値調整処理などを行う。これらの処理の後、画像処理部１８は、処理済みの画像データ２６を表示制御部１３に出力する。そして、表示制御部１３は、処理済みの画像データ２６に基づく画像を表示部１４に表示させる。
【００３０】
ステップＳ１０５は、第２メモリ１６から表示特性データ１９を読み出す処理である。この処理は、ＣＰＵ１７により実行される。
【００３１】
ステップＳ１０６は、新たな表示履歴データを画像ファイル２１に書き込む処理である。ＣＰＵ１７は、ステップＳ１０５で読み出した表示特性データ１９、画像表示装置１０の機種情報、画像表示の年月日などの情報をまとめ、新たな表示履歴データを生成する。そして、ＣＰＵ１７は、生成した表示履歴データを、メタデータ領域２２に書き込む。これにより、画像ファイル２１に新たな表示履歴データが付帯される。
【００３２】
一方、ステップＳ１０３の判定がＮＯとなる場合としては、過去に画像表示装置において表示されたことがある画像を表示する場合が挙げられる。このような場合には、以下のステップＳ１０７からステップＳ１１３の処理が実行される。
【００３３】
ステップＳ１０７は、画像ファイル２１に付帯された表示特性データ２５を読み出す処理である。ＣＰＵ１７は、メモリカード２０を参照し、表示する画像の元になる画像ファイル２１のメタデータ領域２２に記憶された表示履歴データ２４から表示特性データ２５を読み出す。そして、ＣＰＵ１７は、読み出した表示特性データ２５を第１メモリ１２に記憶する。
【００３４】
ステップＳ１０８は、第２メモリ１６から表示特性データ１９を読み出す処理である。この処理は、ＣＰＵ１７により実行される。
【００３５】
ステップＳ１０９は、第１メモリ１２に記憶した表示特性データ２５と、第２メモリ１６から読み出した表示特性データ１９とを比較する処理である。この処理は、ＣＰＵ１７により実行される。なお、表示特性データ２５は、画像ファイル２１に基づく画像を表示した画像表示装置の表示特性を示すデータである。
【００３６】
ステップＳ１１０は、２つの表示特性データが異なるか否かを判定する処理である。ＣＰＵ１７は、表示特性データ１９と表示特性データ２５とが異なると判定した場合（ステップＳ１１０の判定がＹＥＳとなる場合）には、ステップＳ１１１に進む。このステップＳ１１０の判定がＹＥＳとなる場合としては、過去に、他の画像表示装置で表示した画像を表示する場合が挙げられる。一方、ＣＰＵ１７は、表示特性データ１９と表示特性データ２５とが同一であると判定した場合（ステップＳ１１０の判定がＮＯとなる場合）には、ステップＳ１１２に進む。このステップＳ１１０の判定がＮＯとなる場合としては、過去に、画像表示装置１０又は、表示特性が同一である他の画像表示装置で表示した画像を表示する場合が挙げられる。
【００３７】
ステップＳ１１１は、画質を調整する処理である。画像処理部１８は、第１メモリ１２に記憶された画像データ２６に復号化処理、色空間変換処理、色成分値調整処理などを行う。これら処理の後、画像処理部１８は、表示特性データ２５と表示特性データ１９との比較結果に基づいて、彩度補正、輝度補正、階調補正、輪郭強調などの画像処理を実行する。これにより、画像の画質が調整される。
【００３８】
ステップＳ１１２は、画像を表示する処理である。例えば、ステップＳ１１０で２つの表示特性データが同一であると判定した場合には、画像処理部１８は、第１メモリ１２に記憶された画像データ２６に復号化処理、色空間変換処理や色成分値調整処理などを行う。これらの処理の後、画像処理部１８は、処理済みの画像データ２６を表示制御部１３に出力する。そして、表示制御部１３は、処理済みの画像データ２６に基づく画像を表示部１４に表示させる。
【００３９】
一方、ステップＳ１１０で２つの表示特性データが異なると判定した場合には、画像処理部１８は、画質調整後の画像データ２６を表示制御部１３に出力する。表示制御部１３は、画質調整後の画像データ２６に基づく画像を表示部１４に表示させる。
【００４０】
ステップＳ１１３は、新たな表示履歴データを画像ファイル２１に書き込む処理である。ＣＰＵ１７は、ステップＳ１０８で読み出した表示特性データ１９、画像表示装置１０の機種情報、画像表示の年月日などの情報をまとめ、新たな表示履歴データを生成する。そして、ＣＰＵ１７は、生成した表示履歴データを、メタデータ領域２２に書き込む。これにより、画像ファイル２１に新たな表示履歴データが付帯される。なお、このステップＳ１１３の処理が実行される場合には、予め表示履歴データ２４が画像ファイル２１に付帯されている。そのため、ＣＰＵ１７は、新たに生成された表示履歴データを、先に記憶された表示履歴データ２４とは別に記憶する。
【００４１】
このように、画像ファイル２１に表示特性データ２５が付帯されていない場合には、画像表示装置１０は、画像表示装置１０が保持する表示特性データ１９に基づいて、画像データ２６に基づく画像を表示する。一方、画像ファイル２１に表示特性データ２５が付帯されている場合には、画像表示装置１０は、表示特性データ２５と表示特性データ１９との比較結果に基づいて、画像データ２６に基づく画像に対する画質を調整し、画質が調整された画像を表示する。
【００４２】
図４は、画像ファイル２１に付帯される表示特性データ２５から得られる色域と、画像表示装置１０が保持する表示特性データ１９から得られる色域とを示す色度座標を示す。
【００４３】
図４においては、太線で示す馬蹄形に含まれる領域が可視領域となる。また、実線で示される三角形の領域が、画像ファイル２１に付帯された表示特性データ２５から得られる色域であり、点線で示される三角形の領域が、画像表示装置１０が保持する表示特性データ１９から得られる色域である。上述したように、表示特性データは、色域、言い換えれば、色度座標上における、赤（Ｒ）色、緑（Ｇ）色、青（Ｂ）色の三原色の座標値の情報からなる。例えば、画像ファイル２１に付帯される表示特性データ２５が示すＧ色をＧａ、画像表示装置１０が保持する表示特性データ１９が示すＧ色をＧｂとする。また、Ｇａ、Ｇｂ、及び白（Ｗｔ）色の各座標値を結ぶ直線をＭとする。
【００４４】
図５に示すように、画像ファイル２１に付帯された表示特性データ２５を用いて８ビットの画像データ２６に基づく画像を表示した場合、Ｗｔ−Ｇａ間の輝度信号値と彩度との関係は、実線で示す直線となる。一方、画像表示装置１０が保持する表示特性データ１９を用いて８ビットの画像データ２６に基づく画像を表示した場合、Ｗｔ−Ｇｂ間の輝度信号値と彩度との関係は、点線で示す直線となる。
【００４５】
この場合、同一の画像データ２６を用いるため、Ｇａにおける輝度信号値と、Ｇｂにおける輝度信号値とは、同一の輝度信号値となる。しかしながら、画像ファイル２１に付帯された表示特性データ２５に基づく色域は、画像表示装置１０が保持する表示特性データ１９に基づく色域よりも広い。つまり、Ｇａにおける（言い換えれば、輝度信号値が２５５のときの）彩度Ａは、Ｇｂにおける（言い換えれば、輝度信号値が２５５のときの）彩度Ｂよりも高くなる。
【００４６】
そこで、画像処理部１８は、Ｇｂにおける彩度を変化させずに、また、他の輝度信号値における彩度が、実線で示す直線から得られる値に近づくように、周知のＬＵＴなどにより彩度補正を行う。なお、補正後のＷｔ−Ｇｂ間の輝度信号値と彩度との関係は、例えば、図５の実線で示す二次曲線となる。これにより、画像ファイル２１に付帯された表示特性データ２５に近づけるように画像の彩度を変更することができ、新たに表示したときの画像の印象を、過去に表示したときの画像の印象に近づけることができる。なお、画像ファイル２１に付帯された表示特性データ２５から得られる色域が、画像表示装置１０が保持する表示特性データ１９から得られる色域よりも狭い場合であっても、同様であることから、ここでは、その詳細を省略する。
【００４７】
なお、上記の実施形態では、１つの画像表示装置１０において、画像ファイル２１に付帯された表示特性データ２５に基づいて、画像の画質を調整する例を示したが、これに限らない。例えば、複数の画像表示装置において、同一の画像を表示する場合にも、本発明を適用できる。
【００４８】
図６（ａ）は、画像表示装置１０Ａと、画像表示装置１０Ｂにおいて、同一の画像（メモリカード３０に記憶された画像ファイル３１に基づく画像）を表示する例を示す図である。表示特性データ３５は、過去に、画像ファイル３１に基づく画像を表示した画像表示装置が保持する表示特性データである。なお、符号Ａ、Ｂが付されているが、画像表示装置１０Ａ及び画像表示装置１０Ｂは、画像表示装置１０と同じ構成である。また、表示部１４Ａは、有機ＥＬ素子により構成される有機ＥＬパネル５０を備える。表示部１４Ｂは、液晶表示部、及び液晶表示部を照明するバックライトにより構成される液晶表示パネル６０を備える。
【００４９】
一般的に、有機ＥＬパネル５０において再現できる色域は、液晶表示パネル６０において再現できる色域よりも広いことが知られている。そのため、図５で説明したように、同一の画像データを用いても、表示部１４Ａにおいて表示された画像の彩度は、表示部１４Ｂにおいて表示した画像の彩度よりも高くなる。図６（ａ）の場合、画像表示装置１０Ａ、画像表示装置１０Ｂは、表示特性データ３５に基づいて、それぞれ画質調整を行う。したがって、画像表示装置１０Ａ、画像表示装置１０Ｂで表示される画像の印象を近づけることができる。
【００５０】
また、図６（ｂ）は、画像表示装置１０Ａにおいて表示した画像（メモリカード４０に記憶された画像ファイル４１に基づく画像）を、画像表示装置１０Ｂにおいて表示する例を示す図である。なお、表示特性データ４５は、画像表示装置１０Ａが保持する表示特性データである。図６（ｂ）の場合、画像表示装置１０Ｂは、表示特性データ４５に基づいて、画質調整を行う。したがって、画像表示装置１０Ａ、画像表示装置１０Ｂで異なる印象の画像を表示させることを防止できる。
【００５１】
また、上記の実施形態では、表示特性データとして、表示部１４において再現できる色域の情報のみを記憶する例を示したが、これに限らない。例えば、表示部１４の階調特性や、ダイナミックレンジ、コントラスト比を示す情報も表示特性データとして記憶しても良い。この場合、画像処理部１８は、画質の調整として、以下の処理を行う。
【００５２】
例えば、画像ファイル２１に付帯された階調特性と、表示部１４の階調特性とが異なる場合、画像処理部１８は、画像ファイル２１に付帯された階調特性に合わせて、画像の階調を変換する。例えば、画像処理部１８は、画像ファイル２１に付帯されたガンマ値と、表示部１４のガンマ値とに基づいて、過去に表示された画像と同じ明るさになるように、周知のＬＵＴなどにより、輝度信号値を補正する。
【００５３】
また、画像ファイル２１に付帯されたダイナミックレンジが、表示部１４のダイナミックレンジよりも広い場合、画像処理部１８は、画像ファイル２１に付帯されたダイナミックレンジに近づけるように、見かけ上、ダイナミックレンジが広がったように見せる処理を行う。例えば、画像処理部１８は、黒潰れ又は白飛びが生じている領域に含まれる画素に対して、幅広い輝度信号値を割り当てることにより、輝度信号値の変化の度合いを明確にする。
【００５４】
また、画像ファイル２１に付帯されたコントラスト比が、表示部１４のコントラスト比よりも高い場合、画像処理部１８は、画像ファイル２１に付帯されたコントラスト比に近づけるように、輝度信号値の分布を調整して、コントラスト比を上げる。
【００５５】
なお、画像ファイル２１に付帯されたダイナミックレンジが、表示部１４のダイナミックレンジよりも狭い場合、及び画像ファイル２１に付帯されたコントラスト比が、表示部１４のコントラスト比よりも低い場合であっても、同様であることから、ここでは、その詳細を省略する。
【００５６】
さらに、同じ画像を表示する場合であっても、小さい表示部に表示されたときには、輪郭がくっきり見え、大きい表示部に表示されたときには、輪郭がぼやけて見えることがある。そこで、ＣＰＵ１７は、表示部の大きさ（インチ数など）を表示特性データとして記憶しても良い。この場合、画像処理部１８は、画像ファイル２１に付帯された表示部の大きさに応じて、輪郭強調の度合いを変更する。例えば、画像ファイル２１に付帯された表示部が、表示部１４よりも小さいほど、輪郭強調の度合いを大きくしても良い。
【００５７】
また、上記の実施形態では、表示特性データとして、三原色の座標値を記憶する例を示したが、これに限らない。例えば、ｓＲＧＢ、ＡｄｏｂｅＲＧＢなどの規格を示す情報を記憶する。
【００５８】
また、上記の実施形態では、メモリカード２０に記憶された画像データ２６に基づく画像を表示する例を示したが、これに限らない。例えば、他の画像表示装置と通信可能な通信部（不図示）をさらに備え、通信部を介して受信した画像データに基づく画像を表示する構成の場合にも、本発明を適用できる。
【００５９】
また、図３のフローチャートにおいて、画像ファイル２１に１つの表示履歴データ２４が記憶されている例を示したが、画像ファイル２１に複数の表示履歴データ２４が記憶されている場合もある。このような場合には、以下の処理を行う。例えば、表示制御部１３は、表示年月日が新しい順に、表示履歴データ２４を表示部１４に表示する。そして、ＣＰＵ１７は、ユーザインターフェース１５を介して、いずれかの表示履歴データ２４の選択を受け付け、選択された表示履歴データ２４から表示特性データを読み出す。その後、画像処理部１８は、選択された表示特性データに基づいて、画像の画質を調整する。この場合、画像処理部１８が画質の調整に用いる表示履歴データ２４を選択させずに、最新の表示年月日となる表示特性データを選択しても良い。また、この他に、画像処理部１８は、複数の表示特性データを平均化し、平均化した表示特性データに基づいて、画像の画質を調整しても良い。さらに、画像処理部１８が画質の調整に用いる表示履歴データ２４を固定しても良い。
【００６０】
また、図３のフローチャートにおいて、表示特性データ２５が画像ファイル２１に付帯されている例を示したが、これに限らない。例えば、表示特性データ２５が画像ファイル２１に付帯されていない場合にも適用できる。この場合、画像表示装置の機種情報と表示特性データ２５とを対応付けてサーバー（不図示）に予め記憶しておく。そして、図３のフローチャートのステップＳ１０７で、ＣＰＵ１７は、表示履歴データ２４から画像表示装置の機種情報を読み出し、通信部（不図示）を介してサーバーと通信することにより、表示特性データ２５を取得する。
【００６１】
また、図３のフローチャートのステップＳ１１３では、新たな表示履歴データとして表示特性データ１９を記憶する例を示したが、これに限らない。例えば、ＣＰＵ１７は、ステップＳ１１１で画像処理部１８により画質を調整した場合、表示特性データ１９とともに、画像処理部１８による画質の調整内容を記憶する。また、ＣＰＵ１７は、画像処理部１８により画質を調整して表示した場合は、新たな表示履歴データを記憶せず、画質を調整しないで表示した場合は、新たな表示履歴データを記憶しても良い。さらに、ＣＰＵ１７は、新たな表示履歴データとして、表示特性データ１９は記憶するが、画質の調整内容は記憶しなくても良い。この場合、ＣＰＵ１７は、画像処理部１８がどの画像表示装置の表示特性データに合わせて画質を調整したかを記憶すると良い。
【００６２】
また、上記の実施形態では、画像表示装置１０として、デジタルフォトフレーム、テレビ、パソコンを例に挙げて説明したが、携帯電話、デジタルカメラなどにも本発明を同様に適用することができる。
【符号の説明】
【００６３】
１０…画像表示装置、１３…表示制御部、１４…表示部、１７…ＣＰＵ、１８…画像処理部、１９…表示特性データ
【図１】
2012133164.tif 000003
【図２】
2012133164.tif 000004
【図３】
2012133164.tif 000005
【図４】
2012133164.tif 000006
【図５】
2012133164.tif 000007
【図６】
2012133164.tif 000008